(57)【要約】【課題】光ファイバ心線がスロットの溝から脱落するのを防止する粗巻き紐を確実に切断して、押え巻きテープとともに容易に除去することができる光ケーブルを提供する。【解決手段】合成樹脂材からなる溝付きスロット２の溝２ａ内に光ファイバ心線４を収納してなる光ケーブル１であって、スロット２の外周に光ファイバ心線４が溝２ａ内から脱落するのを防ぐための繊維束からなる粗巻き紐５が巻き付けられ、スロット２の外周で繊維束が接する部分に、変形による凹み２ｃが生じているようにする。この変形による凹み２ｃの凹み量は、繊維束を構成するそれぞれの繊維の直径よりも大きくなるようにする。【選択図】図１
2007219415.tif 000002
【特許請求の範囲】
【請求項１】
合成樹脂材からなる溝付きスロットの溝内に光ファイバ心線を収納してなる光ケーブルであって、
前記スロットの外周に前記光ファイバ心線が前記溝内から脱落するのを防ぐための繊維束からなる粗巻き紐が巻き付けられ、前記スロットの外周で前記繊維束が接する部分に、変形による凹みが生じていることを特徴とする光ケーブル。
【請求項２】
前記変形による凹みの凹み量は、前記繊維束を構成するそれぞれの繊維の直径よりも大きいことを特徴とする請求項１に記載の光ケーブル。
【請求項３】
前記スロットの材質がポリオレフィン系樹脂であり、前記繊維束の材質がポリアミド系樹脂であり、前記粗巻き紐の巻き付け時の張力をＴ（Ｎ）、前記粗巻き紐の螺旋曲率半径をＲ（ｍｍ）としたとき、単位デニール当たりのＴ／Ｒが０.０００９６以上であることを特徴とする請求項１又は２に記載の光ケーブル。
【発明の詳細な説明】
【技術分野】
【０００１】
本発明は、溝付きスロットの溝内に多数本の光ファイバ心線を収納し、スロットの外周に粗巻き紐と押え巻きテープを施してなる光ケーブルに関する。
【背景技術】
【０００２】
情報通信の進展により光ケーブルを用いたネットワーク化が進むなかで、使用済み光ケーブルの廃棄量も増大しているが、地球環境保護と資源の有効利用の観点から、光ケーブルのリサイクルに対する対応が求められている。光ケーブルのリサイクルを実施するに当たって、リサイクルコストやリサイクル品の品質、また、リサイクルを考慮した光ケーブルに関して、今までにも種々の提案がなされている。
【０００３】
光ケーブルは、単心のものから１０００心を超えるものまである。代表的な光ケーブルとしては、溝付きスロットの溝内に数百心の単心又はテープ状の光ファイバ心線を収納し、この外周に止水又は外被成形時の熱絶縁のための押え巻きテープを、螺旋巻きあるいは縦添えで施し、その外側をケーブル外被で覆った構造のものがある。この光ケーブルのリサイクルでは、ケーブル外被又はスロットのプラスチック材（通常、ポリエチレン）が対象とされるが、ケーブル外被のみを再利用するか、スロット（スペーサとも呼ばれている）のみを再利用するか、又はケーブル外被とスロットの両方を再利用するかによって、リサイクルの形態も多少異なっている。
【０００４】
例えば、特許文献１には、ケーブル外被を再利用するに際して、ケーブル外被の剥ぎ取りの段階で吸水テープ材等の異物を除去でき、再生化段階での異物除去に要する設備、マンナワーの低減を図るための解体方法が開示されている。この解体方法では、ケーブル外被に剥離のための切り込みを入れる際に、内面に接するテープ材に達しないように薄皮を残して切り込むようにしている。
【０００５】
また、特許文献２には、スペーサ（スロット）を再利用するに際して、スペーサ本体内からテンションメンバを小さい剥離引取り力でスムースに剥離する方法が開示されている。この方法は、スペーサ本体に剥離のためのスリットを切り込んだ後、外周から圧力を加えてスペーサ本体に接着状態にあるテンションメンバを分離する。次いで、傾斜する分離プレートに設けたガイド孔からテンションメンバのみを挿通させて引出し、スペーサ本体を分離プレートの外面に乗り上げるようにして分離解体している。
【０００６】
また、特許文献３には、スペーサ（スロット）とケーブルシース（ケーブル外被）の両方を再利用するに際して、スペーサとケーブルシースの樹脂材料を効率的に回収し、リサイクル処理の低コスト化を図るための光ケーブルが開示されている。この光ケーブルは、スペーサ（例えば、高密度ポリエチレン）とケーブルシース（例えば、低密度ポリエチレン）の熱可塑性樹脂の密度を同程度にし、また、スペーサ内の抗張力（テンションメンバ）に添わせてスペーサを引裂くための引裂き用抗張力を埋設している。
【０００７】
また、特許文献４には、シース（ケーブル外被）を再利用するに際して、シースのリサイクル時にシース内面に配される押え巻きテープの不織布繊維が不純物として混入しないようにする光ケーブルが開示されている。この光ケーブルは、シースを外層シースと内層シースの２層構造とし、内層シースに押出し成形時に外層シースと熱融着しない材料を用いている。内層シース自体には、不織布が直接接触して不織布繊維が混入するが、外層シースには不織布繊維が混入しないので、外層シースを良質なリサイクル品として再利用できるようにしている。
【０００８】
また、特許文献５には、特許文献４と同様にシース層（ケーブル外被）を再利用するに際して、シース層と止水テープ（押え巻きテープ）との間に、融着を防止する融着防止層を介在させて、シース層と止水テープとの分離を容易にする光ケーブルが開示されている。この光ケーブルは、融着防止層として、止水テープとは融着しないがシース層とは融着するような材料が用いられる。融着防止層はシース層の１／２０〜１／５の厚さで、テープを巻付けて又は押出し成形で形成される。
【０００９】
さらに、特許文献６には、特許文献４と同様にケーブル外被を再利用するに際して、ケーブル外被から容易に引き剥がされ、ケーブル外被の内面にテープ繊維の毛羽が残らないような光ケーブル用の止水テープ（押え巻きテープ）が開示されている。この止水テープは、基材の縦方向に引張強度を大きくして、ケーブル外被から連続的に引き剥がすことができるようにするとともに、ケーブル外被と接する面に合成樹脂組成物の塗布層を設けて毛羽等の異物がケーブル外被側に残らないようにしている。
【特許文献１】特開２００５−３２６６５６号公報
【特許文献２】特開２００１−３０１９３号公報
【特許文献３】特開２００４−２４００６１号公報
【特許文献４】特開２００４−２０６１９号公報
【特許文献５】特開２００２−２４３９９９号公報
【特許文献６】特開２００３−２９５０１７号公報
【発明の開示】
【発明が解決しようとする課題】
【００１０】
図２は、上述した従来技術による溝付きスロットを用いた光ケーブルのリサイクル方法の一例を示す図である。光ケーブル１は、図に示すように中心にテンションメンバ３を埋設一体化し、複数の溝２ａを設けたプラスチック材からなるスロット２により構成される。スロット２の溝２ａは螺旋状又はＳＺ状に形成され、溝２ａ内には複数本の光ファイバ心線又はテープ状の光ファイバ心線４を集線して収納している。光ケーブルの製造過程で、光ファイバ心線４を溝２ａ内に収納した直後、溝２ａから光ファイバ心線４が脱落する（特に、ＳＺ状スロットの場合）のを防止するために、粗巻き紐５がスロット２の外周に螺旋状に巻き付けられる。
【００１１】
粗巻き紐５が施されたスロット２の外周には、ケーブル内への止水又は外被成形時の熱絶縁のための押え巻きテープ６を螺旋巻きあるいは縦添えで施し、その外側をケーブル外被７で被覆して光ケーブル１とされる。なお、螺旋溝を有するスロットの場合は、粗巻き紐５を用いずに押え巻きテープ６で光ファイバ心線の脱落を防止することも可能であるが、ＳＺ溝を有するスロットの場合は、光ファイバ心線の脱落防止のために複数本の光ファイバ心線を集線してスロット２の溝２ａに収納すると同時に、押え巻きテープ６を施すのは難しく製造線速を遅くする必要などがあり効率的でない。このため、通常は、ＳＺスロットを用いる場合、複数本の光ファイバ心線４を収納する地点近くで、巻き付けが容易な繊維束からなる粗巻き紐５で光ファイバ心線４の脱落を防止してから、押え巻きテープ６を施している。
【００１２】
上述した光ケーブル１をリサイクルする場合、例えば、前記特許文献１に開示のようなケーブル外被７に切り込みを入れる外被切り込み処理手段１０と、切り込みを入れたケーブル外被７を２分する外被分離処理手段１１を用いてケーブル外被７を除去する。外被切り込み処理手段１０は、位置調整が可能な第１のケーブル保持ローラ１０ａと、第２の保持ローラ１０ｂで光ケーブル１の保持位置を調整し、外被カッター１０ｃを光ケーブル外被７の両側から当てて切り込みを入れる。外被分離処理手段１１は、２分割された外被破材７ａを、例えば、外被ガイドローラ１１ａを経てピンチローラからなる外被引取りローラ１１ｂで引取り、排出シュータ（図示省略）に送り込んで再利用に供する。
【００１３】
次いで、押え巻き除去手段１２により押え巻きテープ６とその内側の粗巻き紐５を切断して除去する。この押え巻き除去手段１２は、例えば、ケーブル外被７が除去され、表面に押え巻きテープ６が施された状態の光ケーブルコアの外面に押え巻きカッター１２ａで切り込みを入れて、押え巻きテープ６を切り屑６ａに、粗巻き紐５を切り屑５ａにする。そして、切り屑５ａ，６ａを廃棄容器１２ｃに自然に落下させるか、あるいはスロットの位置決めにも用いられるダイス１２ｂでスロット表面をしごくことによって、強制的に落下させることにより回収する。また、ダイス１２ｂと押え巻きカッター１２ａを一体化させても良い。
【００１４】
この後、光ファイバ心線回収手段１３により、スロット２の解放された溝２ａから光ファイバ心線４を引き出して除去する。光ファイバ心線回収手段１３は、例えば、心線ガイドローラ１３ａを経て、ピンチローラからなる引取ローラ１３ｂ又はドラムで直接巻き取って回収する。光ファイバ心線４が除去されたスロット２は、例えば、前記特許文献２に開示のようなテンションメンバ剥離手段１４を用いてスロットからテンションメンバを分離する。このテンションメンバ剥離手段１４は、スロット２の両側面にスロットカッター１４ａによる切り込みを入れて側面を圧縮することにより、テンションメンバ３との密着を分離する。次いで、分離装置１４ｂを用いて、２分割されたスロット破材２ａとテンションメンバ３とに分離し、スロット破材２ａは再利用に供され、テンションメンバ３はドラム等に巻き取って処分される。
【００１５】
上述のリサイクル処理の押え巻き除去手段１２において、押え巻きテープ６と粗巻き紐５に対して、除去のために押え巻きカッター１２ａにより切り込みを入れるが、端部が切断された粗巻き紐５は張力が開放された状態となって弛むため、押え巻きカッター１２ａが当たっても切断されずにスロットの長手方向に逃げてしまうことがある。そのため、切断が不十分となり、粗巻き紐５と押え巻きテープ６を自然に落下させて完全に除去することは困難であった。さらに、ダイス等を用いてスロット表面をしごいて除去する場合も、粗巻き紐５は溜まり絡まって毛玉状に固まって、押え巻きテープの切断を妨げたり、ダイス１２ｂの通し穴を塞いでスロット２の移動が停止されるなどの障害を発生し、効率のよいケーブル解体ができないという問題があった。
【００１６】
本発明は、上述した実情に鑑みてなされたもので、光ファイバ心線がスロットの溝から脱落するのを防止する粗巻き紐を確実に切断して、押え巻きテープとともに容易に除去することができる光ケーブルの提供を目的とする。
【課題を解決するための手段】
【００１７】
本発明による光ケーブルは、合成樹脂材からなる溝付きスロットの溝内に光ファイバ心線を収納してなる光ケーブルであって、スロットの外周に光ファイバ心線が溝内から脱落するのを防ぐための繊維束からなる粗巻き紐が巻き付けられ、スロットの外周で繊維束が接する部分に、変形による凹みが生じているようにする。この変形による凹みの凹み量は、繊維束を構成するそれぞれの繊維の直径よりも大きくなるようにする。また、スロットの材質がポリオレフィン系樹脂であり、繊維束の材質がポリアミド系樹脂であり、粗巻き紐の巻き付け時の張力をＴ（Ｎ）、粗巻き紐の螺旋曲率半径をＲ（ｍｍ）としたとき、単位デニール当たりのＴ／Ｒが０．０００９６以上とする。
【発明の効果】
【００１８】
本発明の光ケーブルによれば、粗巻き紐は、その繊維束の一部が変形による凹みに入っていることにより、スロット長手方向への移動が抑制される。この結果、粗巻き紐は、カッターが当てられることで高い確率で切断され、短片状に切断された押え巻きテープとともにスロット上から容易に剥ぎ取ることができる。この結果、スロットの移動がスムースとなり、ケーブルの解体を効率よく行うことが可能となる。
【発明を実施するための最良の形態】
【００１９】
図１により本発明の実施の形態を説明する。図中、１は光ケーブル、２はスロット、２ａは溝、２ｂは外表面、２ｃは凹み、３はテンションメンバ、４は光ファイバ心線、５は粗巻き紐、６は押え巻きテープ、７はケーブル外被、１２ａは押え巻きカッターを示す。
【００２０】
光ケーブル１は、図１（Ａ）に示すように中心にテンションメンバ（抗張力体ともいう）３を埋設一体化し、複数の溝２ａを設けたプラスチック材からなるスロット（スペーサともいう）２により構成される。スロット２の溝２ａは、螺旋状又はＳＺ状に形成され、溝２ａ内には複数本の光ファイバ心線又はテープ状の光ファイバ心線４が収納される。光ケーブルの製造過程で、光ファイバ心線４が溝２ａ内に収納された後、溝２ａから脱落する（特に、ＳＺスロットの場合）のを防止するために、粗巻き紐５が直ちにスロット２の外周に巻き付けられる。
【００２１】
粗巻き紐５は、例えば、ナイロン繊維を束ねたもので、太さが１２６０デニールのものが用いられる。また、１００心程度の光ケーブルで、スロット外径が９ｍｍ程度の場合は、粗巻き紐５は２０ｍｍピッチで２条の紐を巻きつけて（１０ｍｍピッチとなる）形成される。なお、粗巻き紐５は、ナイロン繊維、アラミド繊維などのポリアミド系繊維、ポリエステル系繊維、アクリル系繊維、ポロオレフィン系繊維などの種々の材料を用いることができるが、押え巻きテープ６を施す前に光ファイバ心線４が溝２ａから脱落しない程度に保持されていればよく、取扱い性がよく安価なものが用いられる。
【００２２】
粗巻き紐５が施されたスロット２の外周には、ケーブル内への止水のため、又は外被成形時に成形材が光ファイバ心線に直接接触しないように熱絶縁のための押え巻きテープ６が施される。この押え巻きテープ６は、螺旋巻きあるいは縦添えで施され、その外側をケーブル外被７で被覆して光ケーブル１とされる。螺旋スロットの場合は、粗巻き紐５を用いずに押え巻きテープ６で光ファイバ心線４の脱落を防止することも可能であるが、ＳＺスロットの場合は集線して溝２ａに収納した後、直ちに粗巻き紐５を施す必要がある。なお、光ファイバ心線４の収納直後に押え巻きテープ６を施すのは技術的に難しく、製造線速を遅くする必要などがあり効率的でない。このため、通常は、ＳＺスロットを用いる場合、粗巻き紐５で光ファイバ心線４の脱落を防止してから押え巻きテープ６が施されている。
【００２３】
押え巻きテープ６には、テープ幅が２０ｍｍ〜３０ｍｍ程度のものが用いられ、螺旋巻きする場合には、例えば、１／５ラップ程度の重ね巻きで形成される。なお、縦添えで形成する場合は、重ねしろを含むテープ幅のものが用いられる。押え巻きテープ６が縦添えで施される場合は、押え巻きテープの縦添え接合部分に接着剤を塗布するか、前記テープ上に粗巻き紐が施される。この押え巻きテープ６は、ポリエステル、ポリエチレン、ポリプロピレン等の繊維からなる種々のものが用いられる。また、ケーブル外被の再利用の観点から、特許文献６に開示されたように基材の縦方向の引張強度を大きくして、ケーブル外被７から連続的に引き剥がすことができるようにするとともに、ケーブル外被７と接する面に合成樹脂組成物の塗布層を設けて毛羽等の異物がケーブル外被側に残らないようにした押え巻きテープを用いることもできる。
【００２４】
ケーブル外被（シースとも言う）７は、一般にポリエチレンで形成され、再利用が可能な材料である。しかし、このケーブル外被７には押え巻きテープ６の繊維が混入しやすく、再生化したときの品質を低下させる。このため、不純物が混入しない純度の高い再生品を得る場合には、特許文献４に開示のようにリサイクル品に供される外層外被と、押え巻きテープ６の混入が許容される内層外被の２層で形成するようにしてもよい。また、特許文献５に開示のように、ケーブル外被７を押え巻きテープ６との間に融着防止層を介して形成するようにしてもよい。
【００２５】
スロット２は、中心にテンションメンバ３を有し、光ケーブル１に高い抗張力を持たせるためにスロット２とテンションメンバ３は接着一体化されている必要がある。一方、スロット２を再利用するには、溝２ａ内に収納された光ファイバ心線１を除去し、スロット２とテンションメンバ３を剥離する必要がある。これには、例えば、特許文献２に開示の剥離方法を用いたり、或いは、特許文献３に開示のように、スロットを引裂くための引裂き用抗張力体を埋設しておくようにしてもよい。
【００２６】
上述したような光ケーブル１は、図２で説明したのと同様な解体方法によりリサイクルされる。すなわち、ケーブル外被７を除去した後、スロット２の溝２ａから光ファイバ心線４を取出すために、押え巻きテープ６と粗巻き紐５を除去する必要がある。この場合、図１（Ｂ）又は（Ｃ）に示すように、押え巻きカッター１２ａ（スロット２の表面に接するように付勢されている）によりスロット長手方向に押え巻きテープ６に切り込みを入れて切断するとともに、粗巻き紐５を切断する。しかしながら、図１（Ｃ）に示すように、スロット２の外表面２ｂが均一な面で形成されている場合、押え巻きカッター１２ａで粗巻き紐５を切断しようとしても、粗巻き紐５がスロット２上を滑って上手く切断することができない。
【００２７】
本発明による光ケーブルにおいては、図１（Ｂ）に示すように、スロット２の外周に繊維束からなる粗巻き紐５が巻き付けられ、スロットの外周で粗巻き紐５の繊維束が接する部分に、変形による凹み２ｃが生じるように構成する。この凹み２ｃは、スロット２に予め形成したものではなく、粗巻き紐５の巻き付け力とケーブル外被７の成形時の熱によって変形を生じさせて形成されるようにしたものである。したがって、スロット２の表面に別工程で凹みを設ける加工を行う必要がなく、通常のスロットを使用することができ、これによるコスト増も生じない。
【００２８】
この変形による凹み２ｃの凹み量（凹みの深さＬ）は、粗巻き紐５の繊維束を構成するそれぞれの繊維の直径よりも大きくなるようにする。これにより粗巻き紐５の繊維束の少なくとも最下層の繊維が凹み２ｃに落込み、繊維束全体に対してスロット２の長手方向への移動に対する抵抗を持たせることができる。なお、凹み２ｃの深さＬは１００μｍ前後と浅いので、凹み２ｃ内に落込んだ繊維もスロット２の表面に押し付けられているカッター１２ａに切断される。
スロット２は、通常、ポリエチレン或いは他の樹脂と混合されたポリオレフィン系樹脂で形成される。繊維束からなる粗巻き紐５には、スロットに用いられる材料より弾性率の高いナイロン樹脂やアラミド樹脂のポリアミド系樹脂が用いられる。
【００２９】
粗巻き５紐を所定の張力でスロット２に巻き付けることにより、スロット２の外表面２ｂに凹み２ｃを容易に形成することができる。これについての具体例を以下に述べる。
スロットには、ヤング率０.９８Ｍｐａのポリエチレンを用い、粗巻き紐には、繊維径が４０μｍ程度のナイロン繊維を１２６０ｄ（デニール）×１本を用いた。スロットは、直径が９ｍｍ、１２ｍｍ、１７ｍｍ、１８.５ｍｍの４種類を用い、粗巻き紐の巻き付けピッチを２０ｍｍ、巻き付け張力を５.９Ｎ（６００ｇ）、１１.８Ｎ（１２００ｇ）で行った。なお、ケーブル外被にはポリエチレンを１８０℃の温度で押出成形で形成した。
【００３０】
【表１】
2007219415.tif 000003
【００３１】
表１の結果から、粗巻き紐の螺旋曲率半径をＲ（ｍｍ）とし、粗巻き紐の巻き付け時の張力をＴ（Ｎ）とし、スロット締付け力をＴ／Ｒ（Ｎ／ｍｍ）とすると、Ｔ／Ｒが１.０未満では、凹みが形成されないか、あるいは、凹みが形成されるとしても粗巻き紐の移動を抑制するのに有効な深さが得られなかった。したがって、上記の粗巻き紐（１２６０ｄ）では、Ｔ／Ｒが１.０以上が必要であると思われる。
【００３２】
また、これによる凹み深さＬ（ｍｍ）は、少なくとも粗巻き紐の１本の繊維の太さ（４０μｍ程度）は必要である。望ましくは、粗巻き紐が平らな表面に巻かれた状態での高さＨ｛図１（Ｃ）参照｝以上あれば、粗巻き紐が凹みに完全に落込んで、スロット長手方向の動きが拘束される。なお、高さＨは、上記の具体例では９０μｍ〜１００μｍであった。したがって、具体例における上記の結果から、凹みの深さＬが４０μｍ以上あれば、粗巻き紐の移動を抑制する効果が期待でき（△）、凹み深さＬが１００μｍ以上あれば最良（○）である。
【００３３】
なお、粗巻き紐の太さ（デニール数）が異なれば、上記の高さＨも変化する。したがって、粗巻き紐の太さが異なる場合には、デニール単位当たりのスロット締付け力Ｔ／Ｒを求め（例えば、表１の４番目、１.２１／１２６０＝０.０００９６（Ｎ／ｍｍ／ｄ））るとよい。すなわち、凹み深さＬが１００μｍを得るには、デニール単位当たりのスロット締付け力Ｔ／Ｒを、０.０００９６以上とすることが望ましい。
【００３４】
この結果、粗巻き紐５の繊維束の一部がスロット２の表面に変形により形成された凹み２ｃに落込んでいることにより、スロット２上を滑るのを抑止されるので、押え巻きカッター１２ａによる切断が容易となる。なお、凹み２ｃに入り込んだ一部の繊維は切断されない可能性があるが、粗巻き紐５の繊維束全体のうちの僅かであるので、ある程度の量の繊維束が切断されていれば、溜まり絡まる程度も小さく、スロット２上から容易に除去することが可能となる。
【００３５】
押え巻きテープ６は、粗巻き紐５の切断とともに押え巻きカッター１２ａにより、螺旋巻きの場合は１巻き毎の短片状に切断される。縦添えの場合は、例えば、２本の紐状に切断される。切断された短片状の押え巻き屑６ａは、自然に落ちるか、ダイス１２ｂなどによりしごかれて落下し、廃棄容器で回収される。このとき、短く切断されている粗巻き紐屑５ａも、押え巻き屑６ａと併せて容易に除去される。
本発明は、上述したように、粗巻き紐５をスロット２の表面に凹み２ｃが生じるように巻きつけておくことにより、粗巻き紐の除去が容易となり、光ケーブルの解体を効率よく行うことが可能となる。
【００３６】
なお、押え巻きテープ６及び粗巻き紐５が除去されると、図２で説明したように、光ファイバ心線回収手段により、スロット２の解放された溝２ａから光ファイバ心線４を引出して除去される。次いで、テンションメンバ剥離手段により、スロット２からテンションメンバ３が分離され、スロット２は再利用に供され、テンションメンバ３はドラム等に巻き取って処理される。
【図面の簡単な説明】
【００３７】
【図１】本発明による光ケーブルの概略を説明する図である。
【図２】従来技術による溝付きスロットを用いた光ケーブルのリサイクルの一例を示す図である。
【符号の説明】
【００３８】
１…光ケーブル、２…スロット、２ａ…溝、２ｂ…外表面、２ｃ…凹み、３…テンションメンバ、４…光ファイバ心線、５…粗巻き紐、６…押え巻きテープ、７…ケーブル外被、１２ａ…押え巻きカッター。
【図１】
2007219415.tif 000004
【図２】
2007219415.tif 000005